(57)【要約】【課題】簡単に美しく口笛を吹くことができる口笛音増幅器を提供する。【解決手段】口笛音増幅器１０は、例えば、プラスチックフィルム１１Ａよりなる中空筒状体１１と、中空筒状体１１を保持する保持体１２とを備えている。中空筒状体１１の伸長方向における一方の端部には、伸長方向に対して斜めに切断された吹き口１１Ｂが設けられている。中空筒状体１１は、プラスチックフィルム１１Ａを１周以上巻くことにより形成されており、プラスチックフィルム１１Ａの巻回方向における内側端部には、プラスチックフィルム１１Ａを折り返した折り返し部１１Ｃが設けられている。【選択図】図１
0003193331.tif 000002
【実用新案登録請求の範囲】
【請求項１】
プラスチックフィルムよりなる中空筒状体を備え、
前記中空筒状体の伸長方向における一方の端部には、伸長方向に対して斜めに切断された吹き口が設けられ、
前記吹き口から前記中空筒状体の内部に呼気が吹き込まれることにより、口笛音を増幅させる
ことを特徴とする口笛音増幅器。
【請求項２】
前記中空筒状体は、前記プラスチックフィルムを１周以上巻くことにより形成されており、前記プラスチックフィルムの巻回方向における内側端部には、前記プラスチックフィルムを折り返した折り返し部が設けられた
ことを特徴とする請求項１記載の口笛音増幅器。
【請求項３】
前記中空筒状体は、前記プラスチックフィルムを隙間をあけて２周以上巻くことにより形成され、
前記吹き口は、前記巻回されたプラスチックフィルムの巻回内側の方が巻回外側よりも突出しているか、又は、巻回外側の方が巻回内側よりも突出している
ことを特徴とする請求項１記載の口笛音増幅器。
【請求項４】
前記中空筒状体の外径は、３．８ｍｍ以上４．２ｍｍ以下の範囲内である
ことを特徴とする請求項１記載の口笛音増幅器。
【請求項５】
前記中空筒状体を保持し、両端が解放された中空体よりなる保持体を備え、
前記中空筒状体は、前記保持体の一方の開口から前記吹き口を突出させて、前記保持体に配設された
ことを特徴とする請求項１から請求項４のいずれか１に記載の口笛音増幅器。
【考案の詳細な説明】
【技術分野】
【０００１】
本考案は、口笛音を増幅させることにより、簡単に口笛を楽しむことができるようにする口笛音増幅器に関する。
【背景技術】
【０００２】
口笛は誰でも気軽に楽しむことができるものであるが、上手に口笛を吹くには熟練が必要であり、難しいという問題があった。そこで、もっと簡単に上手に口笛を吹くことができれば、より多くの人が楽しむことができるので好ましい。
【先行技術文献】
【特許文献】
【０００３】
【特許文献１】実用新案登録第３０８８２４３号公報
【考案の概要】
【考案が解決しようとする課題】
【０００４】
本考案は、このような問題に基づきなされたものであり、簡単に美しく口笛を吹くことができる口笛音増幅器を提供することを目的とする。
【０００５】
なお、特許文献１には、口笛を吹く程度の作業で音の高低を変化させ、曲を演奏することができる吹奏楽器が記載されている。この吹奏楽器は、断面をＶ字あるいはＵ字型に折り曲げた本体の本体上部に息吹き込み口を設け、本体下部に共鳴口を設けて、両貫通孔を、ほぼ相対する位置に配したものである。しかしながら、本願考案とは、具体的な構成が全く異なっている。
【課題を解決するための手段】
【０００６】
本考案の口笛音増幅器は、プラスチックフィルムよりなる中空筒状体を備え、中空筒状体の伸長方向における一方の端部には、伸長方向に対して斜めに切断された吹き口が設けられ、吹き口から中空筒状体の内部に呼気が吹き込まれることにより、口笛音を増幅させるものである。
【考案の効果】
【０００７】
本考案の口笛音増幅器によれば、プラスチックフィルムよりなる中空筒状体の一方の端部に斜めに切断した吹き口を設けるようにしたので、口から吐き出された呼気を中空筒状体の内部に容易に誘導することができ、内部に吹き込まれた呼気により中空筒状体を振動させることができる。よって、口笛音を容易に増幅することができ、簡単に美しく口笛を吹くことができる。
【０００８】
特に、プラスチックフィルムを１周以上巻くことにより中空筒状体を形成し、プラスチックフィルムの巻回方向における内側端部に、プラスチックフィルムを折り返した折り返し部を設けるようにすれば、中空筒状体の内部に吹き込まれた呼気により折り返し部が振動し、より容易に口笛音を増幅させることができる。
【０００９】
また、プラスチックフィルムを隙間をあけて２周以上巻くことにより中空筒状体を形成し、吹き口は、巻回されたプラスチックフィルムの巻回内側の方が巻回外側よりも突出するか、又は、巻回外側の方が巻回内側よりも突出するようにすれば、中空筒状体に吹き込まれた呼気が巻回されたプラスチックフィルムの隙間を通り、プラスチックフィルムが振動して、より容易に口笛音を増幅させることができる。
【００１０】
更に、中空筒状体の外径を３．８ｍｍ以上４．２ｍｍ以下の範囲内とするようにすれば、中空筒状体に吹き込まれた呼気によりプラスチックフィルムをより振動させることができる。
【００１１】
加えて、中空筒状体を保持する保持体を備えるようにすれば、手に持って中空筒状体の吹き口を容易に口元に当てることができる。
【図面の簡単な説明】
【００１２】
【図１】本考案の第１の実施の形態に係る口笛音増幅器の構成を表す図である。
【図２】図１に示した口笛音増幅器の作用を説明するための図である。
【図３】本考案の第２の実施の形態に係る口笛音増幅器の構成を表す図である。
【図４】本考案の第３の実施の形態に係る口笛音増幅器の構成を表す図である。
【考案を実施するための形態】
【００１３】
以下、本考案の実施の形態について、図面を参照して詳細に説明する。
【００１４】
（第１の実施の形態）
図１は、本考案の第１の実施の形態に係る口笛音増幅器１０の構成を表すものであり、（Ａ）はＩ−Ｉ線に沿った断面構造を表し、（Ｂ）はＩＩ−ＩＩ線に沿った断面構造を表している。この口笛音増幅器１０は、例えば、プラスチックフィルム１１Ａよりなる中空筒状体１１と、中空筒状体１１を保持する保持体１２とを備えている。中空筒状体１１は、例えば、円筒状であり、伸長方向における一方の端部には、伸長方向に対して斜めに切断され、切断面が楕円形に形成された吹き口１１Ｂが設けられている。中空筒状体１１は、この吹き口から内部に呼気が吹き込まれることにより、プラスチックフィルム１１Ａが振動し、口笛音を増幅させることができるようになっている。
【００１５】
中空筒状体１１は、また、プラスチックフィルム１１Ａを１周以上巻くことにより形成されており、プラスチックフィルム１１Ａの巻回方向における内側端部には、プラスチックフィルム１１Ａを折り返した折り返し部１１Ｃが設けられている。このように一方の端部が自由端となっている折り返し部１１Ｃを設けるようにすれば、吹き込まれた呼気により、折り返し部１１Ｃがより大きく振動して、口笛音をより増幅させることができるので好ましい。
【００１６】
折り返し部１１Ｃの巻回方向の長さは、例えば、中空筒状体１１の内周の１／５以上２／５以下の範囲内であることが好ましい。この範囲内において大きく振動させることができるからである。折り返し部１１Ｃの自由端と、折り返し部１１Ｃを折り返した側における中空筒状体１１の内周面との間の距離は、例えば、０ｍｍよりも大きく、中空筒状体１１の内径の１／３以下であることが好ましい。折り返し部１１Ｃの自由端が中空筒状体１１の内周面からある程度離れていても、折り返し部１１Ｃの基端側の狭隘部で音律がでるので音響に影響がなく、この範囲内において綺麗に音律を出すことができるからである。プラスチックフィルム１１Ａの巻回方向における外側端部は、プラスチックフィルム１１Ａの対向する部分に対して接着されていることが好ましい。
【００１７】
中空筒状体１１の外径は、例えば、４ｍｍ以上５ｍｍ以下の範囲内であることが好ましい。口笛吹奏時の唇中央部開口の直径は２ｍｍから３ｍｍ程度であるので、口から吐き出された呼気が中空筒状体１１の内部に流れ込み、折り返し部１１Ｃを振動させるには、この程度の大きさとすることが好ましいからである。中空筒状体１１の伸長方向における長さは、任意であるが、１０ｍｍ以上であることが好ましい。呼気の有効振動距離は１０ｍｍ程度であるので、１０ｍｍ以上あれば、有効に振動させることができるからである。プラスチックフィルム１１Ａの材料は、例えば、ポリプロピレンが好ましく挙げられる。プラスチックフィルム１１Ａの厚みは、例えば、０．０５ｍｍから０．２ｍｍの範囲内であることが好ましい。振動しやすいからである。
【００１８】
保持体１２は、例えば、中空筒状体１１を持ちやすくするためのものであり、両端が解放された中空体により構成されている。中空筒状体１１は、例えば、保持体１２の一方の開口から吹き口１１Ｂを外側に突出させて、保持体１２に配設されている。保持体１２は、例えば、プラスチックにより構成されている。
【００１９】
この口笛音増幅器１０は、例えば、次のようにして用いることができる。図２は、中空筒状体１１の吹き口１１Ｂにおける呼気の流れを概念的に表したものである。口笛は、例えば、上下、左右の筋力を唇の中央に集中させ、唇の中心に２ｍｍから３ｍｍ程度の開口を作り、舌を下歯に軽く当て、腹から力を出すように呼気を唇から吹き出すことにより鳴らすことができる。唇の中央に２ｍｍから３ｍｍの開口を作ると、唇には繊細なしわが生じ、それに流速の早い呼気が通過することにより、隙間風のような音が生ずる。この隙間風に唇の上下の微妙な開閉、及び、舌と歯との当て方を変えることにより、音を調節することができる。
【００２０】
この口笛音増幅器１０では、例えば、中空筒状体１１の吹き口１１Ｂを上側にして唇に近づけ、上述したようにして口笛を吹く。口から吐き出された呼気は、例えば、図２に示したように中空筒状体１１の内部に吹き込まれ、中空筒状体１１を振動させる。特に、本実施の形態では、中空筒状体１１の内部に折り返し部１１Ｃを設けているので、折り返し部１１Ｃがより大きく振動する。なお、図２において実線で示した流れが呼気の流れであり、破線で示した流れが振動を発生させる部分の流れである。
【００２１】
このように本実施の形態によれば、プラスチックフィルム１１Ａよりなる中空筒状体１１の一方の端部に斜めに切断した吹き口１１Ｂを設けるようにしたので、口から吐き出された呼気を中空筒状体１１の内部に容易に誘導することができ、内部に吹き込まれた呼気により中空筒状体１１を振動させることができる。特に、中空筒状体１１の内部に折り返し部１１Ｃを設けるようにしたので、中空筒状体１１の内部に吹き込まれた呼気により折り返し部１１Ｃが振動し、より容易に口笛音を増幅させることができる。よって、口笛音を容易に増幅することができ、簡単に美しく口笛を吹くことができる。また、中空筒状体１１を保持する保持体１２を備えるようにすれば、手に持って中空筒状体１１の吹き口１１Ｂを容易に口元に当てることができ、取り扱いを容易とすることができる。
【００２２】
（第２の実施の形態）
図３は、本考案の第２の実施の形態に係る口笛音増幅器２０の構成を表すものである。この口笛音増幅器２０は、例えば、第１の実施の形態と同様に、プラスチックフィルム２１Ａよりなる中空筒状体２１と、中空筒状体２１を保持する保持体２２とを備えている。中空筒状体２１は、折り返し部１１Ｃに代えて、プラスチックフィルム２１Ａを隙間をあけて２周以上巻くことにより形成したものであることを除き、第１の実施の形態の中空筒状体１１と同様の構成を有し、保持体２２は、第１の実施の形態の保持体１２と同様の構成を有している。よって、第１の実施の形態と対応する構成要素には、第１の実施の形態において付した符号の十の位を２に変えた符号を付して説明する。
【００２３】
プラスチックフィルム２１Ａは、２重から３重に巻くことが好ましい。巻回した隣り合うプラスチックフィルム２１Ａの隙間は、０．１ｍｍから０．６ｍｍ程度であることが好ましい。呼気が流れることによりプラスチックフィルム２１Ａをより振動させることができるからである。また、吹き口２１Ｂは、巻回されたプラスチックフィルム２１Ａの巻回内側の方が巻回外側よりも突出しているか、又は、巻回されたプラスチックフィルム２１Ａの巻回外側の方が巻回内側よりも突出していることが好ましい。巻回したプラスチックフィルム２１Ａの間の隙間に呼気が流れやすくなるからである。なお、図３では、巻回されたプラスチックフィルム２１Ａの巻回内側の方が巻回外側よりも突出している場合について示している。
【００２４】
このように構成しても、第１の実施の形態と同様の作用、効果を得ることができる。特に、第２の実施の形態では、プラスチックフィルム２１Ａを隙間をあけて２周以上巻くことにより中空筒状体２１を形成し、吹き口２１Ｂは、巻回されたプラスチックフィルム２１Ａの巻回内側の方が巻回外側よりも突出するか、又は、巻回外側の方が巻回内側よりも突出するようにしたので、中空筒状体２１に吹き込まれた呼気が巻回されたプラスチックフィルム２１Ａの隙間を通り、プラスチックフィルム２１がより振動して、より容易に口笛音を増幅させることができる。
【００２５】
（第３の実施の形態）
図４は、本考案の第３の実施の形態に係る口笛音増幅器３０の構成を表すものである。この口笛音増幅器３０は、例えば、第１の実施の形態と同様に、プラスチックフィルム３１Ａよりなる中空筒状体３１と、中空筒状体３１を保持する保持体３２とを備えている。中空筒状体３１は、折り返し部１１Ｃが形成されていない円筒状に形成され、外径が３．８ｍｍ以上４．２ｍｍ以下の範囲内とされたことを除き、第１の実施の形態の中空筒状体１１と同様の構成を有し、保持体３２は、第１の実施の形態の保持体１２と同様の構成を有している。よって、第１の実施の形態と対応する構成要素には、第１の実施の形態において付した符号の十の位を３に変えた符号を付して説明する。
【００２６】
中空筒状体３１の外径を第１の実施の形態よりも小さく３．８ｍｍから４．２ｍｍとするのは、口笛吹奏時の唇中央部開口の直径は２ｍｍから３ｍｍ程度であるので、内部に折り返し部１１Ｃを設けない場合には、この範囲内において中空筒状体３１がより振動するからである。
【００２７】
このように構成しても、第１の実施の形態と同様の作用、効果を得ることができる。特に、第３の実施の形態では、中空筒状体３１の外径を３．８ｍｍ以上４．２ｍｍ以下の範囲内とするようにしたので、中空筒状体３１に吹き込まれた呼気によりプラスチックフィルム３１Ａをより振動させることができる。
【００２８】
以上、各実施の形態を挙げて本考案を説明したが、本考案は上記各実施の形態に限定されるものではなく、種々変形可能である。例えば、上記各実施の形態では、各構成要素について具体的に説明したが、全ての構成要素を備えていなくてもよく、また、他の構成要素を備えていてもよい。また、上記各実施の形態では、保持体１２，２２，３２の形状について一例を図示して説明したが、保持体１２，２２，３２は、両端が解放された中空体であればどのような形状であってもよい。
【符号の説明】
【００２９】
１０，２０，３０…口笛音増幅器、１１，２１，３１…中空筒状体、１１Ａ，２１Ａ，３１Ａ…プラスチックフィルム、１１Ｂ，２１Ｂ，３１Ｂ…吹き口、１１Ｃ…折り返し部、１２，２２，３２…保持体
【図１】
0003193331.tif 000003
【図２】
0003193331.tif 000004
【図３】
0003193331.tif 000005
【図４】
0003193331.tif 000006